(57)【要約】【課題】端末状態を示す状態表示情報に割り当てられた状態表示領域を有効活用し、使用者に分かりやすく端末状態を報知することを可能とした携帯端末装置及びその表示方法を提供すること。【解決手段】携帯電話装置（１０）は、端末状態を示す状態表示情報をピクト表示領域に表示可能な表示部（２）を有する。また、端末状態を検出し、ピクト表示領域に表示すべきピクトを判定するピクト判定部（１１）と、表示部（２）のピクト表示領域の表示状態を検出し、この表示状態に応じて、ピクトの表示態様を選択するピクト判定部（１２）と、選択された表示態様のピクトを、表示部（２）に表示する処理を行うピクト表示部（１３）とを備える。【選択図】図１
2007267221.tif 000002
【特許請求の範囲】
【請求項１】
携帯端末装置の端末状態を示す状態表示情報を、所定の状態表示領域に表示可能な表示部を有する携帯端末装置であって、
前記端末状態を検出し、前記状態表示領域に表示すべき状態表示情報を判定する端末状態判定部と、
前記状態表示領域の表示状態を検出し、当該表示状態に応じて、前記状態表示情報の表示態様を選択する状態表示情報判定部と、
前記選択された表示態様の状態表示情報を、前記状態表示領域に表示する処理を行う状態表示情報処理部と
を備える携帯端末装置。
【請求項２】
請求項１に記載の携帯端末装置であって、
前記状態判定部は、前記状態表示情報の表示態様として、前記状態表示情報の大きさを選択する携帯端末装置。
【請求項３】
請求項１又は２に記載の携帯端末装置であって、
前記状態判定部は、前記状態表示情報の表示態様として、前記状態表示情報に関連した付加情報の有無を選択する携帯端末装置。
【請求項４】
請求項１ないし３のいずれか一項に記載の携帯端末装置であって、
操作入力を受け付ける操作部から入力された指示に応じて、表示対象となる状態表示情報を設定する状態表示情報設定部を更に備える携帯端末装置。
【請求項５】
請求項１ないし４のいずれか一項に記載の携帯端末装置であって、
前記状態判定部は、前記状態表示情報が、前記状態表示領域に表示されている継続時間を計時し、当該継続時間に応じて前記状態表示情報の表示態様を切り替える携帯端末装置。
【請求項６】
携帯端末装置の端末状態を示す状態表示情報を、所定の状態表示領域に表示可能な表示部を有する携帯端末装置の表示方法であって、
前記端末状態を検出し、前記状態表示領域に表示すべき状態表示情報を判定するステップと、
前記状態表示領域の表示状態を検出し、当該表示状態に応じて、前記状態表示情報の表示態様を選択するステップと、
前記選択された表示態様の状態表示情報を、前記状態表示領域に表示する処理を行うステップと
を有する表示方法。
【請求項７】
コンピュータに、請求項６に記載の各ステップを実行させる表示制御プログラム。
【発明の詳細な説明】
【技術分野】
【０００１】
本発明は、携帯端末装置の端末状態を示す状態表示情報を、所定の状態表示領域に表示可能な表示部を有する携帯端末装置及びその表示方法に関する。
【背景技術】
【０００２】
携帯電話端末等の携帯端末装置には、液晶表示装置（ＬＣＤ）等により構成される表示部を有するものがある。この表示部には、携帯端末装置の状態を示す画像データ（以下、ピクトという）が表示される場合が多い。
【０００３】
特許文献１には、端末の使用状態に応じてアンテナピクトの表示状態を変更する移動体通信端末が記載されている。この移動体通信端末では、待ち受け時は、表示部の画面中央の表示を囲んでアンテナピクトが大きく表示される。また、通話操作中及び通話時は、表示部の画面の左端上に、アンテナピクトが小さく表示される。
【０００４】
【特許文献１】特開２００１−１３６５７８号公報
【発明の開示】
【発明が解決しようとする課題】
【０００５】
上記特許文献１に記載の移動体通信端末にあっては、ある特定のピクトについて、端末の使用状態に応じて表示部全体を用いて表示しているに過ぎず、通話操作中や通話時にはピクトが小さく表示されるため、使用者がピクトを判別しにくいという事情がある。
【０００６】
本発明は、上記の事情に鑑みてなされたものであって、端末状態を示す状態表示情報に割り当てられた状態表示領域を有効活用し、使用者に分かりやすく端末状態を報知することを可能とした携帯端末装置及びその表示方法を提供することを目的とする。
【課題を解決するための手段】
【０００７】
本発明は、第１に、携帯端末装置の端末状態を示す状態表示情報を、所定の状態表示領域に表示可能な表示部を有する携帯端末装置であって、前記端末状態を検出し、前記状態表示領域に表示すべき状態表示情報を判定する端末状態判定部と、前記状態表示領域の表示状態を検出し、当該表示状態に応じて、前記状態表示情報の表示態様を選択する状態表示情報判定部と、前記選択された表示態様の状態表示情報を、前記状態表示領域に表示する処理を行う状態表示情報処理部とを備える携帯端末装置が提供されるものである。
【０００８】
この構成により、状態表示領域の表示状態に応じて、表示する状態表示情報の態様を選択するので、状態表示領域を有効活用して、使用者に分かりやすく端末状態を報知することが可能となる。
【０００９】
本発明は、第２に、上記第１に記載の携帯端末装置であって、前記状態判定部は、前記状態表示情報の表示態様として、前記状態表示情報の大きさを選択する携帯端末装置が提供されるものである。
【００１０】
この構成により、例えば表示すべき状態表示情報に隣接する位置に状態表示情報が表示されていない場合には大きな状態表示情報を表示する等、状態表示領域の表示状態に応じて状態表示情報の大きさを選択することが可能となるので、状態表示領域を有効活用して、使用者に分かりやすく端末状態を報知することが可能となる。
【００１１】
本発明は、第３に、上記第１又は第２に記載の携帯端末装置であって、前記状態判定部は、前記状態表示情報の表示態様として、前記状態表示情報に関連した付加情報の有無を選択する携帯端末装置が提供されるものである。
【００１２】
この構成により、例えば表示すべき状態表示情報に隣接する位置に状態表示情報が表示されていない場合には付加情報を表示する等、状態表示領域の表示状態に応じて付加情報を表示することが可能となるので、状態表示領域を有効活用して、使用者に分かりやすく端末状態を報知することが可能となる。
【００１３】
本発明は、第４に、上記第１ないし第３のいずれかに記載の携帯端末装置であって、操作入力を受け付ける操作部から入力された指示に応じて、表示対象となる状態表示情報を設定する状態表示情報設定部を更に備える携帯端末装置が提供されるものである。
【００１４】
この構成により、使用者は、自身の好みに合わせた端末状態情報の表示設定を行うことができるので、使用者に分かりやすく端末状態を報知することが可能となる。
【００１５】
本発明は、第５に、上記第１ないし第４のいずれかに記載の携帯端末装置であって、前記状態判定部は、前記状態表示情報が、前記状態表示領域に表示されている継続時間を計時し、当該継続時間に応じて前記状態表示情報の表示態様を切り替える携帯端末装置が提供されるものである。
【００１６】
この構成により、例えば、状態表示情報を表示し始めたときには強調表示を行い、所定時間経過後には強調表示を解除するといったように、状態表示情報が、状態表示領域に表示されている継続時間に応じて前記状態表示情報の表示態様を切り替えるので、使用者に分かりやすく端末状態を報知することが可能となる。
【００１７】
本発明は、第６に、携帯端末装置の端末状態を示す状態表示情報を、所定の状態表示領域に表示可能な表示部を有する携帯端末装置の表示方法であって、前記端末状態を検出し、前記状態表示領域に表示すべき状態表示情報を判定するステップと、前記状態表示領域の表示状態を検出し、当該表示状態に応じて、前記状態表示情報の表示態様を選択するステップと、前記選択された表示態様の状態表示情報を、前記状態表示領域に表示する処理を行うステップとを有する表示方法が提供されるものである。
【００１８】
この方法により、状態表示領域の表示状態に応じて、表示する状態表示情報の態様を選択するので、状態表示領域を有効活用して、使用者に分かりやすく端末状態を報知することが可能となる。
【００１９】
本発明は、第７に、コンピュータに、上記第６に記載の各ステップを実行させる表示制御プログラムが提供されるものである。
【００２０】
このプログラムにより、状態表示領域の表示状態に応じて、表示する状態表示情報の態様を選択するので、状態表示領域を有効活用して、使用者に分かりやすく端末状態を報知することが可能となる。
【発明の効果】
【００２１】
本発明によれば、端末状態を示す状態表示情報に割り当てられた状態表示領域を有効活用し、使用者に分かりやすく端末状態を報知することを可能とした携帯端末装置及びその表示方法を提供することができる。
【発明を実施するための最良の形態】
【００２２】
以下、本発明の実施形態について、図面を参照して説明する。以下の説明では、携帯端末装置の一例として、携帯電話装置を用いて説明する。ただし、携帯電話装置に限らず、携帯情報端末（ＰＤＡ：Personal Digital Assistant）等、携帯端末装置の端末状態を示す状態表示情報を、所定の状態表示領域に表示可能な表示部を有する携帯端末装置であればよい。
【００２３】
（第１の実施形態）
図１は、本発明の第１の実施形態に係る携帯電話装置の主要な構成を示すブロック図であり、図２は、本発明の第１の実施形態に係る携帯電話装置の正面外観図である。図１及び図２に示すように、本実施形態の携帯電話装置１０は、通信部１と、表示部２と、操作部３と、ＳＤカード装着部４と、記憶部５と、端末状態判定部１１と、ピクト判定部１２と、ピクト表示部１３と、制御部１４とを備える。
【００２４】
通信部１は、移動体通信網の基地局装置との間で無線通信を行う。表示部２は、実行中の機能に関する表示情報や、携帯電話装置１の端末状態を示す状態表示情報（以下、ピクトという）等を表示する。ここで、ピクトとは、通信部１における受信状態や、充電池の残容量の状態、携帯電話装置１に設定されている時刻表示の状態、メールの着信状態等、種々の端末状態を示す、画像や文字、これらの組合せ等の表示情報である。
【００２５】
図２に示すように、表示部２には、画面の上部に設けられたピクトを表示するピクト表示表示領域２ａと、画面の下部に設けられた実行中のアプリケーションプログラムに関する表示情報を表示するアプリケーション表示領域２ｂとが設けられている。ピクト表示領域２ａには、更に、８個のピクト表示領域Ｒ１〜Ｒ８が設けられている。ピクトの各々は、予め定められたピクト表示領域Ｒ１〜Ｒ８に表示されるものである。なお、ピクト表示領域Ｒ１〜Ｒ８は８個に限らず、必要数設けられてよい。また、図２の例では、ピクト表示領域Ｒ１〜Ｒ８は水平方向に一列に設けられているが、複数列設けられてもよいし、ピクト表示領域２ａ内であれば、その配置方法は任意である。
【００２６】
操作部３は、携帯電話装置１０の使用者からの操作入力を受け付けるものであり、図２に示すように、例えばテンキー等を有する。ＳＤカード装着部４は、外部記憶媒体の一例であるＳＤカードの装着を受け付けるインタフェースであり、ＳＤカードの装着状態を制御部１４に通知すると共に、必要に応じて、装着されているＳＤカードとのデータ通信の中継を行う。
【００２７】
記憶部５は、携帯電話装置１０の動作に関わるデータやプログラムのほか、ピクト表示に関わるデータである、端末状態管理テーブルＴ１Ａと、ピクトデータ管理テーブルＴ１Ｂと、ピクト表示状態管理テーブルＴ１Ｃと、ピクト画像データＤＰ１とが記憶されている。
【００２８】
ピクト画像データＤＰ１としては、表示対象となるピクトについての画像データが記憶されている。本実施形態では、一つの端末状態について、大きさの異なる大小２種類のピクト（以下、大ピクト、小ピクトという）、すなわち異なる態様のピクトが用意されている。
【００２９】
例えば、図１に示すように、記憶部５には、ピクト画像データＤＰ１として、受信して未読のメールが存在するときに表示する、大小２種類のメールピクトＰＭＬ，ＰＭＳ（以下、大メールピクトＰＭＬ、小メールピクトＰＭＳという）と、ＳＤカード装着部４にＳＤカードが装着されているときに表示する、大小２種類のメールピクトＰＳＬ，ＰＳＳ（以下、大ＳＤ装着ピクト、小ＳＤ装着ピクトという）との画像データが記憶されている。
【００３０】
なお、ピクトの大きさの種類は２種類に限らず、３種類以上でもよい。また、端末状態の種別に応じて、ピクトの大きさの種類が異なっていてもよい。
【００３１】
端末状態判定部１１は、端末状態を検出し、ピクト表示領域２ａに表示すべきピクトの種別を判定する。ピクト判定部１２は、状態表示情報判定部の一例であり、ピクト表示領域２ａの表示状態を検出し、この表示状態に応じて、表示するピクトの大きさを選択する。ピクト表示部１３は、状態表示情報処理部の一例であり、ピクト判定部１２により選択されたピクトを、表示部２のピクト表示領域２ａに表示する処理を行う。なお、端末状態判定部１１、ピクト判定部１２、及びピクト表示部１３は、表示制御プログラムによって動作するプロセッサを主体に構成される。
【００３２】
制御部１４は、所定のプログラムによって動作するプロセッサを主体に構成され、携帯電話装置１０全体の動作を制御すると共に、携帯電話装置１０の端末状態を把握する。
【００３３】
次に、記憶部５に記憶されている各管理テーブルについて説明する。図３は、本発明の第１の実施形態に係る携帯電話装置に記憶される情報の例を示す説明図であり、図３（Ａ）は端末状態管理テーブルＴ１Ａの内容を示す図、図３（Ｂ）はピクトデータ管理テーブルＴ１Ｂの内容を示す図、図３（Ｃ）はピクト表示状態管理テーブルＴ１Ｃの内容を示す図である。
【００３４】
図３（Ａ）に示すように、端末状態管理テーブルＴ１Ａは、「種別」と、「現在の状態」と、「ＯＮの状態で表示すべきピクトＮＯ」との項目を有する。
【００３５】
「種別」の項目には、ピクト表示の対象となる端末状態の種別が指定されるものであり、新規（未読）メール受信状態や、ＳＤカード装着状態等が指定される。
【００３６】
「現在の状態」の項目には、端末状態の種別における現在の状態が書き込まれる。なお、「現在の状態」の項目は、制御部１４により書き込まれる。
【００３７】
「ＯＮの状態で表示すべきピクトＮＯ」の項目には、種別の項目で指定されている端末状態において現在ＯＮのときに表示すべきピクトの、ピクトデータ管理テーブルＴ１Ｂで管理されている識別情報が指定される。
【００３８】
図３（Ｂ）に示すように、ピクトデータ管理テーブルＴ１Ｂは、「ピクトＮＯ」と、「大ピクトデータ」と、「大ピクトの表示位置」と、「小ピクトデータ」と、「小ピクト表示位置」との項目を有する。上述したように、本実施形態では、同じ種別の端末状態に対して、大小２種類のピクトが用意されているので、ピクトデータ管理テーブルＴ１Ｂは、同一のピクトＮＯに対応して、大ピクト用及び小ピクト用の項目が設けられている。
【００３９】
「ピクトＮＯ」の項目には、ピクトデータを識別するための識別情報として、例えば１からの連続番号が指定される。
【００４０】
「大ピクトデータ」及び「小ピクトデータ」の項目にはそれぞれ、記憶部５において大ピクト、小ピクトの画像データが記憶されているアドレスが指定されている。例えば、ピクトＮＯ１の大ピクトデータの項目には、記憶部５における大メールピクトＰＭＬの画像データが記憶されているアドレスＡｄｄｒｅｓｓ［ＰＭＬ］が指定されており、ピクトＮＯ１の小ピクトデータの項目には、記憶部５における小メールピクトＰＭＳの画像データが記憶されているアドレスＡｄｄｒｅｓｓ［ＰＭＳ］が指定されている。
【００４１】
「大ピクト表示位置」及び「小ピクト表示位置」の項目にはそれぞれ、大ピクト及び小ピクトを表示すべき、表示部２のピクト表示領域２ａにおけるピクト表示位置Ｒ１〜Ｒ８（図２参照）が指定される。例えば、ピクトＮＯ１である大メールピクトを表示すべき位置には表示位置Ｒ４，Ｒ５が、小メールピクトを表示すべき位置には表示位置Ｒ４が指定されている。なお、小メールピクトＰＭＳと小ＳＤ装着ピクトＰＳＳとは、隣接した表示位置Ｒ４，Ｒ５に表示することが指定されている。また、大ピクト表示位置は、２つのピクト表示位置に限らず、３つ以上でもよい。
【００４２】
図３（Ｃ）に示すように、ピクト表示状態管理テーブルＴ１Ｃは、「表示位置」と、「表示状態」との項目を有する。「表示位置」の項目には、図２に示すピクト表示位置Ｒ１〜Ｒ８のいずれかが指定される。「表示状態」の項目には、ピクト表示位置に表示されているピクトのピクトＮＯが書き込まれ、ピクトが表示されていないときには「０」が書き込まれる。なお、「表示状態」の項目は、ピクト判定部４２により書き込まれる。
【００４３】
次に、本実施形態の携帯電話装置１０の動作の概要について説明する。図４は本発明の第１の実施形態に係る携帯電話装置の表示例を示す説明図であり、図４（Ａ）は、新規（未読）メール受信状態及びＳＤカード装着状態が共にＯＮの時の表示例、図４（Ｂ）は、新規（未読）メール受信状態がＯＮ、ＳＤカード装着状態がＯＦＦの時の表示例をそれぞれ示す。
【００４４】
図４（Ａ）に示すように、新規（未読）メール受信状態及びＳＤカード装着状態が共にＯＮの時には、小メールピクトＰＭＳ及び小ＳＤ装着ピクトＰＳＳが表示される。一方、図４（Ｂ）に示すように、ＳＤカード装着状態がＯＦＦの時には、大メールピクトＰＭＬが表示される。すなわち、ＳＤカード装着状態がＯＦＦの時には小ＳＤ装着ピクトＰＳＳが表示されないので、ピクト表示領域２ａに大メールピクトＰＭＬを表示可能な空白ができる。このように、ピクト表示領域２ａを有効活用して、大きなピクトを表示することにより、使用者に分かりやすく端末状態を報知することができる。
【００４５】
次に、本実施形態の携帯電話装置１０の動作の詳細について説明する。図５は、本発明の第１の実施形態に係る携帯電話装置の表示方法の手順を示すフローチャートである。図５に示す手順は、制御部１４の指示に基づいて、所定時間毎、又は制御部１４が端末状態管理テーブルＴ１Ａを更新したタイミングにて開始される。
【００４６】
端末状態判定部１１は、端末状態管理テーブルＴ１Ａから、「現在の状態」がＯＮになっている項目に対して、表示すべきピクトＮｏを読み出し、すなわち表示すべき対象ピクト（図３（Ａ）の例では、ピクトＮｏ．１）を取得する。そして、ピクト判定部１２へ、該当するピクトの態様の判定指示（大ピクトまたは小ピクトの判定）を出す（ステップＳ１０１）。
【００４７】
ピクト判定部１２は、ピクトデータ管理テーブルＴ１Ｂから、ピクトＮｏ．１の大ピクトの表示位置（以下、大ピクト表示位置という：図３（Ｂ）に示す例では、表示位置Ｒ４及び表示位置Ｒ５）を読み出して取得する（ステップＳ１０２）。そして、ピクト判定部１２は、ピクト表示状態管理テーブルＴ１Ｃから、ピクトＮｏ．１の大ピクト表示位置Ｒ４，Ｒ５に、他のピクト（以下、他ピクトという）が表示されているか否か、すなわち、表示状態が０であるか否かを判定する（ステップＳ１０３）。
【００４８】
ステップＳ１０３における判定の結果、表示位置Ｒ４及び表示位置Ｒ５に、他ピクトが表示されていなければ（ステップＳ１０４のＹＥＳ）、ピクト判定部１２は、ピクト表示状態管理テーブルＴ１Ｃのピクト表示位置Ｒ４，Ｒ５に、ピクトＮｏ．１が表示状態であることを書き込む（ステップＳ１０５）。そして、ピクト判定部１２は、ピクト表示部１３へピクトＮｏ．１の大ピクトの表示指示を出す（ステップＳ１０６）。
【００４９】
ピクト表示部１３は、ピクトデータ管理テーブルＴ１Ｂから、ピクト判定部１２から表示指示されたピクトのピクトデータと表示位置とを読み出す。すなわち、ピクトＮｏ．１の大ピクトデータである大メールピクトＰＭＬの画像データと、表示位置Ｒ４，Ｒ５とを読み出して取得する（ステップＳ１０７）。そして、ピクト表示部１３は、取得したピクトデータと表示位置とから、表示部２に対して表示処理を行う。すなわち、ピクト表示部１３は、表示部２のピクト表示領域２ａの表示位置Ｒ４，Ｒ５に、ピクトＮｏ．１の大ピクトである大メールピクトＰＭＬを表示する処理を行う（ステップＳ１０８）。
【００５０】
ステップＳ１０３における判定の結果、表示位置Ｒ４及び表示位置Ｒ５に、他ピクトが表示されていれば（ステップＳ１０４のＮＯ）、ピクト判定部１２は、ピクトデータ管理テーブルＴ１Ｂから、ピクトＮｏ．１の小ピクトの表示位置（以下、小ピクト表示位置という：図３（Ｂ）に示す例では、表示位置Ｒ４）を読み出して取得する（ステップＳ１０９）。そして、ピクト判定部１２は、ピクト表示状態管理テーブルＴ１Ｃから、ピクトＮｏ．１の小ピクト表示位置Ｒ４に、他ピクトが表示されているか否か、すなわち、表示状態が０であるか否かを判定する（ステップＳ１１０）。
【００５１】
ステップＳ１１０における判定の結果、表示位置Ｒ４に、他ピクトが表示されていなければ（ステップＳ１１１のＹＥＳ）、ピクト判定部１２は、ピクト表示状態管理テーブルＴ１Ｃの表示位置Ｒ４に、ピクトＮｏ．１が表示状態であることを書き込む（ステップＳ１１２）。そして、ピクト判定部１２は、ピクト表示部１３へピクトＮｏ．１の小ピクトの表示指示を出す（ステップＳ１１３）。
【００５２】
そして、ピクト表示部１３は、ステップＳ１０７にて、ピクトデータ管理テーブルＴ１Ｂから、ピクト判定部１２から表示指示されたピクトＮｏ．１の小メールピクトＰＭＳの画像データと、表示位置Ｒ４を読み出して取得する。そして、ステップＳ１０８にて、表示部２のピクト表示領域２ａの表示位置Ｒ４に小メールピクトＰＭＳを表示する処理を行う。
【００５３】
ステップＳ１１０における判定の結果、表示位置Ｒ４に、他ピクトが表示されていれば（ステップＳ１１１のＮＯ）、表示されている他ピクトの態様は、大ピクトであると考えられる。そこで、ピクト判定部１２は、ピクト表示状態管理テーブルＴ１Ｃから、ピクトＮｏ．１の小ピクトの表示位置Ｒ４に表示されているピクトＮｏを読み出して、他ピクトを特定する（ステップＳ１１４）。
【００５４】
そして、ピクト判定部１２は、ピクト表示部１３へ、表示位置Ｒ４に現在表示されているピクトについて、大ピクトから小ピクトへ変更表示する要求を出力する。すなわち、ピクト判定部１２はピクト表示状態管理テーブルＴ１Ｃを更新し、ピクト表示部１３は大ピクトを消去して小ピクトを表示する表示処理を行う（ステップＳ１１５）。そして、ステップＳ１１２，Ｓ１１３，Ｓ１０７，Ｓ１０８へ進み、小メールピクトＰＭＳを表示する。
【００５５】
このような本発明の第１の実施形態によれば、例えば表示すべきピクトに隣接する位置に他のピクトが表示されていない場合には大きなピクトを表示する等、ピクト表示領域の表示状態に応じてピクトの大きさを選択するので、ピクト表示領域を有効活用して、使用者に分かりやすく端末状態を報知することが可能となる。
【００５６】
（第２の実施形態）
図６は、本発明の第２の実施形態に係る携帯電話装置の主要な構成を示すブロック図である。図６において、第１の実施形態で説明した図１と重複する部分については同一の符号を付す。
【００５７】
図６に示すように、本実施形態の携帯電話装置２０は、第１の実施形態の携帯電話装置１０と比較して、ピクト判定部１２と、ピクト表示部２３と、制御部１４との代わりに、ピクト判定部２２と、ピクト表示部２３と、制御部２４とを備える。また、記憶部５には、端末状態管理テーブルＴ１Ａと、ピクトデータ管理テーブルＴ１Ｂと、ピクト画像データＤＰ１との代わりに、端末状態管理テーブルＴ２Ａと、ピクトデータ管理テーブルＴ２Ｂと、ピクト画像データＤＰ２が記憶されている。
【００５８】
ピクト画像データＤＰ２としては、表示対象となるピクトについての画像データが記憶されている。本実施形態では、一つの端末状態について、端末状態を示すピクト（小メールピクトＰＭＳ及び小ＳＤ装着ピクトＰＳＳ）のほか、端末状態に関連した付加情報を示す付加情報ピクトＰＡ１〜ＰＡ３が用意されており、ピクト表示の態様として、付加情報の有無を選択することが可能となる、なお、本実施形態の例では、第１の実施形態と同様、大ピクトが記憶されていてもよい。
【００５９】
ピクト判定部２２は、ピクト表示領域２ａの表示状態を検出し、この表示状態に応じて、ピクトの表示態様として、付加情報ピクトの有無を選択する。ピクト表示部１３は、ピクト判定部１２により選択されたピクトを、表示部２のピクト表示領域２ａに表示する処理を行う。
【００６０】
次に、記憶部５に記憶されている各管理テーブルについて説明する。図７は、本発明の第２の実施形態に係る携帯電話装置に記憶される情報の例を示す説明図であり、図７（Ａ）は端末状態管理テーブルＴ２Ａの内容を示す図、図７（Ｂ）はピクトデータ管理テーブルＴ２Ｂの内容を示す図である。
【００６１】
図７（Ａ）に示すように、端末状態管理テーブルＴ２Ａは、「種別」と、「現在の状態」と、「ＯＮの状態で表示すべきピクトＮＯ」との他に、「付加情報」の項目を有する。
【００６２】
「付加情報」の項目には、制御部１４により、ピクト表示の対象となる端末状態に関連した付加情報が書き込まれる。例えば、新規（未読）メール受信状態の付加情報としては、新規（未読）メールの数が書き込まれる。
【００６３】
図７（Ｂ）に示すように、ピクトデータ管理テーブルＴ２Ｂは、「ピクトＮＯ」と、「小ピクトデータ」と、「小ピクト表示位置」との他に、「付加情報ピクトデータ」と及び「付加情報表示位置」の項目を有する。
【００６４】
「付加情報ピクトデータ」の項目には、記憶部５において付加情報ピクトの画像データが記憶されているアドレスが指定されており、本実施形態では、付加情報に書き込まれた数字に対応した付加情報ピクトのアドレスが指定されている。例えば、ピクトＮＯ１の付加情報の項目には、記憶部５における、付加情報ピクトＰＡ１〜ＰＡ３の画像データが記憶されているアドレスＡｄｄｒｅｓｓ［ＰＡ］が指定されており、付加情報の数字が１のアドレスにはＰＡ１が、付加情報の数字が２にはＰＡ２のアドレス、付加情報の数字が３にはＰＡ３のアドレスがそれぞれ対応付けられている。
【００６５】
「付加情報ピクト表示位置」の項目には、付加情報ピクトを表示すべき、表示部２のピクト表示領域２ａにおけるピクト表示位置Ｒ１〜Ｒ８（図２参照）が指定される。例えば、ピクトＮＯ１である付加情報ピクトを表示すべき位置には表示位置Ｒ５が指定されている。なお、図７（Ｂ）に示すように、小メールピクトＰＭＳと付加情報ピクトＰＡとは、隣接した表示位置Ｒ４，Ｒ５に表示することが指定されている。
【００６６】
次に、本実施形態の携帯電話装置２０の動作の概要について説明する。図８は本発明の第２の実施形態に係る携帯電話装置の表示例を示す説明図であり、図８（Ａ）は、新規（未読）メール受信状態及びＳＤカード装着状態が共にＯＮの時の表示例、図８（Ｂ）は、新規（未読）メール受信状態がＯＮ、ＳＤカード装着状態がＯＦＦの時の表示例をそれぞれ示す。
【００６７】
図８（Ａ）に示すように、新規（未読）メール受信状態及びＳＤカード装着状態が共にＯＮの時には、小メールピクトＰＭＳ及び小ＳＤ装着ピクトＰＳＳが表示される。一方、図８（Ｂ）に示すように、ＳＤカード装着状態がＯＦＦの時には、小メールピクトＰＭＳ及び端末状態管理テーブルＴ２Ａに書き込まれている付加情報「２」に対応した付加情報ピクトＰＡ２が表示される。すなわち、ＳＤカード装着状態がＯＦＦの時には小ＳＤ装着ピクトＰＳＳが表示されないので、ピクト表示領域２ａに付加情報ピクトＰＡ２を表示可能な空白ができる。このように、ピクト表示領域２ａを有効活用して、付加情報ピクトを表示することにより、使用者に分かりやすく端末状態を報知することができる。
【００６８】
次に、本実施形態の携帯電話装置２０の動作の詳細について説明する。図９は、本発明の第２の実施形態に係る携帯電話装置の表示方法の手順を示すフローチャートである。図９に示す手順は、制御部１４の指示に基づいて、所定時間毎、又は制御部１４が端末状態管理テーブルＴ１Ａを更新したタイミングにて開始される。
【００６９】
端末状態判定部１１は、端末状態管理テーブルＴ２Ａから、「現在の状態」がＯＮになっている項目に対して、表示すべきピクトＮｏを読み出し、すなわち表示すべき対象ピクト（図７（Ａ）の例では、ピクトＮｏ．１）を取得する。そして、ピクト判定部２２へ、該当するピクトの態様の判定指示（付加情報ピクトの有無）を出す（ステップＳ２０１）。
【００７０】
ピクト判定部２２は、ピクトデータ管理テーブルＴ２Ｂから、ピクトＮｏ．１の小ピクトの表示位置（図７（Ｂ）に示す例では、表示位置Ｒ４）を読み出して取得する（ステップＳ２０２）。そして、ピクト判定部２２は、ピクト表示状態管理テーブルＴ１Ｃから、ピクトＮｏ．１の小ピクト表示位置Ｒ４に、他ピクトが表示されているか否か、すなわち、表示状態が０であるか否かを判定する（ステップＳ２０３）。
【００７１】
ステップＳ２０３における判定の結果、表示位置Ｒ４に、他ピクトが表示されていなければ（ステップＳ２０４のＹＥＳ）、ピクト判定部２２は、ピクト表示状態管理テーブルＴ１Ｃの表示位置Ｒ４に、ピクトＮｏ．１が表示状態であることを書き込む（ステップＳ２０５）。そして、ピクト判定部２２は、ピクト表示部２３へピクトＮｏ．１の小ピクトの表示指示を出す（ステップＳ２０６）。
【００７２】
ピクト表示部２３は、ピクトデータ管理テーブルＴ２Ｂから、ピクト判定部２２から表示指示されたピクトのピクトデータと表示位置とを読み出す。すなわち、ピクトＮｏ．１の小ピクトデータである小メールピクトＰＭＳの画像データと、表示位置Ｒ４とを読み出して取得する（ステップＳ２０７）。そして、ピクト表示部２３は、取得したピクトデータと表示位置とから、表示部２に対して表示処理を行う。すなわち、ピクト表示部２３は、表示部２のピクト表示領域２ａの表示位置Ｒ４に、ピクトＮｏ．１の小ピクトである小メールピクトＰＭＳを表示する処理を行う（ステップＳ２０８）。
【００７３】
ステップＳ２０３における判定の結果、表示位置Ｒ４に、他ピクトが表示されていれば（ステップＳ２０４のＮＯ）、表示されている他ピクトの態様は、大ピクトであると考えられる。そこで、ピクト判定部２２は、ピクト表示状態管理テーブルＴ１Ｃから、ピクトＮｏ．１の小ピクトの表示位置Ｒ４に表示されているピクトＮｏを読み出して、他ピクトを特定する（ステップＳ２０９）。
【００７４】
そして、ピクト判定部２２は、ピクト表示部２３へ、表示位置Ｒ４に現在表示されているピクトについて、大ピクトから小ピクトへ変更表示する要求を出力する。すなわち、ピクト判定部２２はピクト表示状態管理テーブルＴ１Ｃを更新し、ピクト表示部２３は大ピクトを消去して小ピクトを表示する表示処理を行う（ステップＳ２１０）。そして、ステップＳ２０５〜Ｓ２０８へ進み、小メールピクトＰＭＳを表示する。
【００７５】
次に、ピクト判定部２２は、ピクトデータ管理テーブルＴ２Ｂから、表示対象となっているピクト、すなわちピクトＮｏ．１の付加情報ピクトの表示位置（図７（Ｂ）に示す例では、表示位置Ｒ５）を読み出して取得する（ステップＳ２１１）。そして、ピクト判定部２２は、ピクト表示状態管理テーブルＴ１Ｃから、ピクトＮｏ．１の付加情報ピクト表示位置Ｒ５に、他ピクトが表示されているか否か、すなわち、表示状態が０であるか否かを判定する（ステップＳ２１２）。
【００７６】
ステップＳ２１２における判定の結果、表示位置Ｒ５に、他ピクトが表示されていれば（ステップＳ２１３のＮＯ）、付加情報ピクトの表示を行わず、処理を終了する。一方、表示位置Ｒ５に、他ピクトが表示されていなければ（ステップＳ２１３のＹＥＳ）、ピクト判定部２２は、ピクト表示状態管理テーブルＴ１Ｃの表示位置Ｒ５に、ピクトＮｏ．１が表示状態であることを書き込む（ステップＳ２１４）。そして、ピクト判定部２２は、ピクト表示部２３へピクトＮｏ．１の付加情報ピクトの表示指示を出す（ステップＳ２１５）。
【００７７】
ピクト表示部２３は、ピクトデータ管理テーブルＴ２Ｂから、ピクト判定部２２から表示指示されたピクトの付加情報の数値に対応した付加情報ピクトデータと表示位置とを読み出す。すなわち、ピクトＮｏ．１の付加情報「２」に対応した付加情報ピクトデータである付加情報ピクトＰＡ２の画像データと、表示位置Ｒ５とを読み出して取得する（ステップＳ２１６）。そして、ピクト表示部２３は、取得したピクトデータと表示位置とから、表示部２に対して表示処理を行う。すなわち、ピクト表示部２３は、表示部２のピクト表示領域２ａの表示位置Ｒ５に、ピクトＮｏ．１の付加情報に対応した付加情報ピクトである付加情報ピクトＰＡ２を表示する処理を行う（ステップＳ２１７）。
【００７８】
このような本発明の第２の実施形態によれば、例えば表示すべきピクトに隣接する位置に他のピクトが表示されていない場合には付加情報ピクトを表示する等、ピクト表示領域の表示状態に応じてピクトの付加情報の有無を選択するので、ピクト表示領域を有効活用して、使用者に分かりやすく端末状態を報知することが可能となる。
【００７９】
（第３の実施形態）
図１０は、本発明の第３の実施形態に係る携帯電話装置の主要な構成を示すブロック図である。図１０において、第１の実施形態で説明した図１と重複する部分については同一の符号を付す。
【００８０】
図１０に示すように、本実施形態の携帯電話装置３０は、第１の実施形態の携帯電話装置１０と比較して、制御部１４の代わりに制御部３４が設けられ、また、ピクト表示設定部３５を更に備える。ピクト表示設定部３５は、操作部３から使用者により入力された指示に応じて、表示対象となるピクトを設定する。
【００８１】
次に、本実施形態の携帯電話装置３０の動作について説明する。図１１は、本発明の第３の実施形態に係る携帯電話装置のピクト表示設定方法の手順を示すフローチャートである。また、図１２は、本発明の第３の実施形態に係る携帯電話装置のピクト表示設定の動作を示す説明図であり、図１２（Ａ）はピクト表示設定前の端末状態管理テーブルＴ１Ａの内容を示す図、図１２（Ｂ）はピクト表示設定選択時の表示例を示す図、図１２（Ｃ）はピクト表示設定後の端末状態管理テーブルＴ１Ａの内容を示す図、図１２（Ｄ）はピクト表示設定後のピクト表示例を示す図である。
【００８２】
始めに、ピクト表示設定前は、図１２（Ａ）に示すように、ＳＤカード装着状態がＯＮの状態で表示すべきピクトＮＯは、ＮＯ．２、すなわち、ＳＤカード装着ピクトＰＳＬ，ＰＳＳが指定されているものとする。
【００８３】
図１１に示すように、操作部３から、制御部３４がピクト表示設定機能を起動する指示を受けると、ピクト表示設定部３５は、表示部２にピクト表示設定選択画面を表示する（ステップＳ３０１）。ピクト表示設定選択画面は、図１２（Ｂ）に示すように、ピクト表示の対象となる端末状態の各種別について、表示のＯＮ／ＯＦＦの選択状態が判別可能な画面である。
【００８４】
そして、使用者が、ピクト表示設定選択画面に基づいて、例えば図１２（Ｂ）に示すように、ＳＤ装着ピクトの表示をＯＦＦに変更すると、ピクト表示設定部３５は、指定されたピクト表示設定、すなわちＳＤ装着ピクトの表示ＯＦＦを検出する（ステップＳ３０２）。そして、ピクト表示設定部３５は、端末状態管理テーブルＴ１Ａを更新する（ステップＳ３０３）。例えば、端末状態管理テーブルＴ１ＡのＳＤカード装着状態の種別において、「ＯＮの状態で表示すべきピクトＮＯ」の項目をＯＦＦに設定する。
【００８５】
そして、ピクト表示設定の変更後、受信未読メールがＯＮ状態となると、ＳＤカード装着状態がＯＮであってもＳＤ装着ピクトは表示されないので、図１２（Ｄ）に示すように、ピクト表示領域２ａに大メールピクトＰＭＬを表示することができる。
【００８６】
このような本発明の第３の実施形態によれば、使用者は、自身の好みに合わせたピクトの表示設定を行うことができるので、使用者に分かりやすく端末状態を報知することが可能となる。
【００８７】
（第４の実施形態）
図１３は、本発明の第４の実施形態に係る携帯電話装置の主要な構成を示すブロック図である。図１０において、第１の実施形態で説明した図１と重複する部分については同一の符号を付す。
【００８８】
図１３に示すように、本実施形態の携帯電話装置４０は、第１の実施形態の携帯電話装置１０と比較して、ピクト判定部１２及び制御部１４の代わりに、ピクト判定部４２及び制御部４４が設けられ、また、計時部４６を更に備える。計時部４６は、ピクト判定部４２からの指示に基づいて、ピクト表示領域にピクトが表示されている継続時間を計時し、ピクト判定部４２は、この継続時間に応じてピクトの表示態様を切り替えるものである。
【００８９】
次に、本実施形態の携帯電話装置４０の動作の概要について説明する。図１４は本発明の第４の実施形態に係る携帯電話装置の表示例を示す説明図であり、図４（Ａ）は、新規（未読）メール受信状態がＯＮになってから所定時間が経過するまでの表示例、図４（Ｂ）は、新規（未読）メール受信状態がＯＮになってから所定時間経過後の表示例をそれぞれ示す。
【００９０】
図１４（Ａ）に示すように、新規（未読）メール受信状態がＯＮになってから所定時間が経過するまでは、大メールピクトＰＭＬが表示される。一方、図１４（Ｂ）に示すように、新規（未読）メール受信状態がＯＮになってから所定時間が経過後は、小メールピクトＰＭＳが表示される。すなわち、所定時間が経過するまでは、強調表示として大メールピクトＰＭＬが表示されるので、ピクト表示領域２ａを有効活用して、使用者に分かりやすく端末状態を報知することができる。
【００９１】
次に、本実施形態の携帯電話装置４０の動作の詳細について説明する。図１５は、本発明の第４の実施形態に係る携帯電話装置の表示方法の手順を示すフローチャートである。図１５に示す手順は、制御部１４の指示に基づいて、所定時間毎、又は制御部１４が端末状態管理テーブルＴ１Ａを更新したタイミングにて開始される。
【００９２】
端末状態判定部１１は、端末状態管理テーブルＴ１Ａから、「現在の状態」がＯＮになっている項目に対して、表示すべきピクトＮｏを読み出し、すなわち表示すべき対象ピクト（図３（Ａ）の例では、ピクトＮｏ．１）を取得する。そして、ピクト判定部４２へ、該当するピクトの態様の判定指示（大ピクトまたは小ピクトの判定）を出す（ステップＳ４０１）。
【００９３】
ピクト判定部４２は、ピクトデータ管理テーブルＴ１Ｂから、ピクトＮｏ．１の大ピクトの表示位置（以下、大ピクト表示位置という：図３（Ｂ）に示す例では、表示位置Ｒ４及び表示位置Ｒ５）を読み出して取得する（ステップＳ４０２）。そして、ピクト判定部４２は、ピクト表示状態管理テーブルＴ１Ｃから、ピクトＮｏ．１の大ピクト表示位置Ｒ４，Ｒ５に、他のピクト（以下、他ピクトという）が表示されているか否か、すなわち、表示状態が０であるか否かを判定する（ステップＳ４０３）。
【００９４】
ステップＳ４０３における判定の結果、表示位置Ｒ４及び表示位置Ｒ５に、他ピクトが表示されていなければ（ステップＳ４０４のＹＥＳ）、ピクト判定部４２は、ピクト表示状態管理テーブルＴ１Ｃのピクト表示位置Ｒ４，Ｒ５に、ピクトＮｏ．１が表示状態であることを書き込む（ステップＳ４０５）。そして、ピクト判定部４２は、ピクト表示部１３へピクトＮｏ．１の大ピクトの表示指示を出す（ステップＳ４０６）。
【００９５】
ピクト表示部１３は、ピクトデータ管理テーブルＴ１Ｂから、ピクト判定部４２から表示指示されたピクトのピクトデータと表示位置とを読み出す。すなわち、ピクトＮｏ．１の大ピクトデータである大メールピクトＰＭＬの画像データと、表示位置Ｒ４，Ｒ５とを読み出して取得する（ステップＳ４０７）。そして、ピクト表示部１３は、取得したピクトデータと表示位置とから、表示部２に対して表示処理を行う。すなわち、ピクト表示部１３は、表示部２のピクト表示領域２ａの表示位置Ｒ４，Ｒ５に、ピクトＮｏ．１の大ピクトである大メールピクトＰＭＬを表示する処理を行う（ステップＳ４０８）。
【００９６】
ステップＳ４０３における判定の結果、表示位置Ｒ４，Ｒ５に、他ピクトが表示されていれば（ステップＳ４０４のＮＯ）、表示されている他ピクトの態様は、大ピクトであると考えられる。そこで、ピクト判定部４２は、ピクト表示状態管理テーブルＴ１Ｃから、ピクトＮｏ．１の小ピクトの表示位置Ｒ４，Ｒ５に表示されているピクトＮｏを読み出して、他ピクトを特定する（ステップＳ４０９）。
【００９７】
そして、ピクト判定部４２は、ピクト表示部１３へ、表示位置Ｒ４，Ｒ５に現在表示されているピクトについて、大ピクトから小ピクトへ変更表示する要求を出力する。すなわち、ピクト判定部４２はピクト表示状態管理テーブルＴ１Ｃを更新し、ピクト表示部１３は大ピクトを消去して小ピクトを表示する表示処理を行う（ステップＳ４１０）。そして、ステップＳ４０５〜Ｓ４０８へ進み、大メールピクトＰＭＬを表示する。
【００９８】
そして、計時部４６は、大ピクトの表示開始からの経過時間を計時し、ピクト判定部４２は、所定時間経過したか否かを判定する。そして、所定時間が経過すると（ステップＳ４１１のＹＥＳ）、ピクト表示部１３に、現在表示されている大メールピクトＰＭＬの消去を指示し、ピクト表示部１３は、大メールピクトＰＭＬを消去する（ステップＳ４１２）。そして、ピクト判定部４２は、ピクト表示状態管理テーブルＴ１Ｃにおいて、ピクトＮｏ．１の大ピクト表示位置（位置Ｒ４および位置Ｒ５）へ、ピクトＮｏ．１が非状態であることを示す「０」を書き込む。
【００９９】
そして、ピクト判定部４２は、ピクトデータ管理テーブルＴ１Ｂから、ピクトＮｏ．１の小ピクトの表示位置（図３（Ｂ）に示す例では、表示位置Ｒ４）を読み出して取得する。そして、ピクト判定部４２は、ピクト表示状態管理テーブルＴ１Ｃの表示位置Ｒ４に、ピクトＮｏ．１が表示状態であることを書き込む（ステップＳ４１４）。ピクト判定部４２は、ピクト表示部１３へピクトＮｏ．１の小ピクトの表示指示を出す（ステップＳ４１５）。
【０１００】
ピクト表示部１３は、ピクトデータ管理テーブルＴ１Ｂから、ピクト判定部４２から表示指示されたピクトのピクトデータと表示位置とを読み出す。すなわち、ピクトＮｏ．１の小ピクトデータである小メールピクトＰＭＳの画像データと、表示位置Ｒ４とを読み出して取得する（ステップＳ４１６）。そして、ピクト表示部１３は、取得したピクトデータと表示位置とから、表示部２に対して表示処理を行う。すなわち、ピクト表示部１３は、表示部２のピクト表示領域２ａの表示位置Ｒ４に、ピクトＮｏ．１の小ピクトである小メールピクトＰＭＳを表示する処理を行う（ステップＳ４１７）。
【０１０１】
このような本発明の第４の実施形態によれば、例えば、ピクトを表示し始めたときには強調表示を行い、所定時間経過後には強調表示を解除するといったように、ピクトが、ピクト表示領域に表示されている継続時間に応じてピクトの表示態様を切り替えるので、使用者に分かりやすく端末状態を報知することが可能となる。
【０１０２】
なお、本実施形態では、強調表示の一例として大ピクトの表示を行ったが、ピクトの色を変える、ピクトを点滅させる等、ピクト表示部１３により種々の強調処理を行ってもよい。
【０１０３】
以上、本発明の実施形態では、ピクト表示領域の表示状態に応じて、表示するピクトの態様を選択するので、ピクト表示領域を有効活用して、使用者に分かりやすく端末状態を報知することが可能となる。
【産業上の利用可能性】
【０１０４】
本発明の携帯端末装置及びその表示方法は、端末状態を示す状態表示情報に割り当てられた状態表示領域を有効活用し、使用者に分かりやすく端末状態を報知することを可能とした効果を有し、携帯電話装置等に有用である。
【図面の簡単な説明】
【０１０５】
【図１】本発明の第１の実施形態に係る携帯電話装置の主要な構成を示すブロック図
【図２】本発明の第１の実施形態に係る携帯電話装置の正面外観図
【図３】本発明の第１の実施形態に係る携帯電話装置に記憶される情報の例を示す説明図
【図４】本発明の第１の実施形態に係る携帯電話装置の表示例を示す説明図
【図５】本発明の第１の実施形態に係る携帯電話装置の表示方法の手順を示すフローチャート
【図６】本発明の第２の実施形態に係る携帯電話装置の主要な構成を示すブロック図
【図７】本発明の第２の実施形態に係る携帯電話装置に記憶される情報の例を示す説明図
【図８】本発明の第２の実施形態に係る携帯電話装置の表示例を示す説明図
【図９】本発明の第２の実施形態に係る携帯電話装置の表示方法の手順を示すフローチャート
【図１０】本発明の第３の実施形態に係る携帯電話装置の主要な構成を示すブロック図
【図１１】本発明の第３の実施形態に係る携帯電話装置のピクト表示設定方法の手順を示すフローチャート
【図１２】本発明の第３の実施形態に係る携帯電話装置のピクト表示設定の動作を示す説明図
【図１３】本発明の第４の実施形態に係る携帯電話装置の主要な構成を示すブロック図
【図１４】本発明の第４の実施形態に係る携帯電話装置の表示例を示す説明図
【図１５】本発明の第４の実施形態に係る携帯電話装置の表示方法の手順を示すフローチャート
【符号の説明】
【０１０６】
１  通信部
２  表示部
２ａ  ピクト表示領域
２ｂ  アプリケーション表示領域
３  操作部
４  ＳＤカード装着部
５  記憶部
１０，２０，３０，４０  携帯電話装置
１１  端末状態判定部
１２，２２，４２  ピクト判定部
１３，２３  ピクト表示部
１４，２４，３４，４４  制御部
３５  ピクト表示設定部
４６  計時部
ＤＰ１，ＤＰ２  ピクト画像データ
ＰＡ１〜ＰＡ３  付加情報ピクト
ＰＭＬ  小メールピクト
ＰＭＳ  大メールピクト
ＰＳＬ  大ＳＤ装着ピクト
ＰＳＳ  小ＳＤ装着ピクト
Ｒ１〜Ｒ８  ピクト表示位置
Ｔ１Ａ，Ｔ２Ａ  端末情報管理テーブル
Ｔ１Ｂ，Ｔ２Ｂ  ピクトデータ管理テーブル
Ｔ１Ｃ  ピクト表示状態管理テーブル
【図１】
2007267221.tif 000003
【図２】
2007267221.tif 000004
【図３】
2007267221.tif 000005
【図４】
2007267221.tif 000006
【図５】
2007267221.tif 000007
【図６】
2007267221.tif 000008
【図７】
2007267221.tif 000009
【図８】
2007267221.tif 000010
【図９】
2007267221.tif 000011
【図１０】
2007267221.tif 000012
【図１１】
2007267221.tif 000013
【図１２】
2007267221.tif 000014
【図１３】
2007267221.tif 000015
【図１４】
2007267221.tif 000016
【図１５】
2007267221.tif 000017